(57)【要約】      （修正有）【課題】失禁パッドのずれを防止するとともに、着用時のフィット感も向上し、さらに、失禁パッドの装着も容易な軽度尿失禁パッド用ショーツを提供する。【解決手段】前身頃１及び後身頃２により身生地が構成されるショーツにおいて、前身頃１の内側には失禁パッドを貼付可能なクロッチ３が設けられており、クロッチ３はその前端縁３１と後端縁３２がそれぞれ前身頃１の前端縁１１付近および後端縁１２付近に縫着されるとともに、その脇辺の一部ないし全部は前身頃１に縫着されることなく遊離しており、さらに、クロッチ３の前端縁３１から後端縁３２までの長さが、前身頃１の前端縁１１から後端縁１２までの長さよりも短く形成されている。【選択図】図３
0003190588.tif 000002
【実用新案登録請求の範囲】
【請求項１】
前身頃及び後身頃により身生地が構成されるショーツにおいて、前身頃の内側には失禁パッドを貼付可能なクロッチが設けられており、該クロッチはその前端縁と後端縁がそれぞれ前身頃の前端縁付近および後端縁付近に縫着されるとともに、その脇辺の一部ないし全部は前身頃に縫着されることなく遊離しており、さらに、クロッチの前端縁から後端縁までの長さが、前身頃の前端縁から後端縁までの長さよりも短く形成されていることを特徴とする軽度尿失禁パッド用ショーツ。
【請求項２】
前記クロッチの前端縁から後端縁までの長さが、前記前身頃の前端縁から後端縁までの長さに対して７０〜９０％であることを特徴とする請求項１に記載の軽度尿失禁パッド用ショーツ。
【請求項３】
前記クロッチは、その脇辺全長の９０〜１００％が前記前身頃に縫着されることなく遊離していることを特徴とする請求項１または２のいずれかに記載の軽度尿失禁パッド用ショーツ。
【請求項４】
前記クロッチは、少なくとも失禁パッドを貼付する部分の生地が二重に形成されていることを特徴とする請求項１ないし３のいずれか１項に記載の軽度尿失禁パッド用ショーツ。
【請求項５】
前記クロッチは、少なくともその長手方向に伸縮性を有し、撥水性あるいは防水性を備えた生地により形成されていることを特徴とする請求項１ないし４のいずれか１項に記載の軽度尿失禁パッド用ショーツ。
【考案の詳細な説明】
【技術分野】
【０００１】
本考案は、軽度の尿失禁用紙パッドの取付け作業を容易にするとともに、着用感を向上させる軽度尿失禁パッド用ショーツに関するものである。
【背景技術】
【０００２】
排尿によるトラブルの原因は男女によって異なるが、女性の場合、男性に比べて尿道が短く失禁しやすい構造に加え、妊娠・出産、閉経等により失禁のリスクが高まることが知られている。
【０００３】
そこで、かかる尿失禁については、軽度尿失禁紙パッド（以下、単に「失禁パッド」という）により対応することが多いが、生理用ナプキンの場合はナプキンの機能をより向上させることを目的としたサニタリーショーツが開発されているのに対し、失禁パッド用のショーツはまだ少ないのが現状である。
【０００４】
そこで、従来は、特許文献１ないし３に挙げるような生理用ショーツにおいて、失禁パッドを用いることが一般的となっている。これらの生理用ショーツは、股布部分、いわゆるクロッチを二重とし、内側のクロッチ部に生理用ナプキンを貼付して使用するというものである。
【０００５】
これらの生理用ショーツの場合、以下のような問題があった。すなわち、失禁パッドはクロッチの内側布部に貼付されるが、特許文献１のように、クロッチの外側布部と内側布部とが遊離して設けられている場合、着用者の動き等により外側布部と内側布部の間にずれが生じやすく、パッドも所定の位置よりずれたり、着用時のフィット感を損なうおそれがあった。また、生理用ナプキンや失禁パッドの両側端より突設する羽部をクロッチ部の外側と内側の布部の間に折り込む装着作業が困難であり、特に、特許文献２、３のように、クロッチの外側布部と内側布部とが互いにその一部において固定されているものでは、内側布部の動きが制限されるため、その傾向が顕著であった。
【０００６】
また、クロッチの内側布部に防水布を使用した特許文献１のショーツは、防水布部分の蒸れなどの問題などにより、直穿きには適さないものであった。
【先行技術文献】
【特許文献】
【０００７】
【特許文献１】実用新案登録番号第３００２６０７号
【特許文献２】特開２００１−５５６０２
【特許文献３】特開２００３−６４２
【考案の概要】
【考案が解決しようとする課題】
【０００８】
従って、本考案は、失禁パッドのずれを防止するとともに、着用時のフィット感も向上し、さらに、失禁パッドの装着も容易な軽度尿失禁パッド用ショーツを提供することをその課題とするものである。
【課題を解決するための手段】
【０００９】
本考案は、上記課題を解決するものであり、前身頃及び後身頃により身生地が構成されるショーツにおいて、前身頃の内側には失禁パッドを貼付可能なクロッチが設けられており、該クロッチはその前端縁と後端縁がそれぞれ前身頃の前端縁付近および後端縁付近に縫着されるとともに、その脇辺の一部ないし全部は前身頃に縫着されることなく遊離しており、さらに、クロッチの前端縁から後端縁までの長さが、前身頃の前端縁から後端縁までの長さよりも短く形成されていることを特徴とする軽度尿失禁パッド用ショーツである。  
【考案の効果】
【００１０】
本考案に係る軽度尿失禁パッド用ショーツは、失禁パッドを貼付するためのクロッチを前身頃の前端縁から後端縁にかけて長手方向の全長に渡って設け、クロッチの一部ないし全部の脇辺を前身頃から遊離させることにより、クロッチの自由度を高めて失禁パッドを貼付しやすくすることができる。
【００１１】
また、本考案に係る軽度尿失禁パッド用ショーツは、クロッチの長手方向の長さが、前身頃の長手方向の長さよりも短くなるように形成されているため、クロッチの身体へのフィット感が向上し、失禁パッドの位置ずれも防ぐことができる。  
【図面の簡単な説明】
【００１２】
【図１】本考案に係る軽度尿失禁パッド用ショーツの正面図。
【図２】本考案に係る軽度尿失禁パッド用ショーツの背面図。
【図３】本考案に係る軽度尿失禁パッド用ショーツの断面図。
【図４】本考案に係る軽度尿失禁パッド用ショーツのクロッチ部分を表す平面図。
【考案を実施するための形態】
【００１３】
以下、本考案の軽度尿失禁パッド用ショーツの一実施態様を、図面に基づいて具体的に説明する。なお、本考案はこれら実施態様に何ら制約されるものではない。
【００１４】
図１は本考案に係る軽度尿失禁パッド用ショーツの正面図である。図１に示すように、本考案に係る軽度尿失禁パッド専用ショーツは、前身頃１と後身頃２により身生地が構成されている。前身頃１は、その後端縁１２と脇辺１３部分において後身頃２と縫着されており、前身頃１と後身頃２の上部にはゴム紐を内包するウエスト部４が設けられている。なお、後身頃２の中心部であって、着用者の尾骨付近にあたる位置は、いせ込み縫いにより立体的に縫製しても良く、それにより、失禁パッドのフィット感を高めることができる。
【００１５】
前身頃１の内側には、着用者の股間部を被覆するように、クロッチ３が設けられている。図４に示すように、クロッチ３は、前端縁３１側と後端縁３２側が幅広な略帯状に形成されており、その一部ないし全部の生地を二重に形成しても良く、失禁パッドを貼付する部分の生地を二重にすることがより好ましい。このように、クロッチ３の生地を二重にすることにより着用感が向上するため、失禁パッドを装着しない直穿きにも適する。
【００１６】
失禁パッドはクロッチ３の中央部分の任意の場所に貼付することができるが、失禁パッド貼付部分を二重の生地で構成している場合は、かかる二重生地部分を目安に失禁パッドを貼付することができるため、パッドの位置決めがより容易となる。また、図４のように、左右に係止用の羽部を有するタイプの失禁パッド５を取り付ける場合は、羽部５１部分を脇辺３３にかかるようにして裏側に折り込んで貼付する。本考案のクロッチ３は、一般的なショーツのクロッチよりも長手方向に長く形成されているため、失禁パッドの取り付け位置の自由度も高い。
【００１７】
クロッチ３は、その長手方向の長さ、すなわち、前端縁３１から後端縁３２にかけての長さが、前身頃１の前端縁１１から後端縁１２にかけての長さよりも短くなるように形成されている。具体的には、クロッチ３の前身頃１に対する長手方向の長さの割合は、クロッチ３の材質、編成、伸縮性等により異なるが、７０〜９０％の範囲であることが好ましい。また、クロッチ３の幅、すなわち、左右の脇辺３３、３４の間の幅は、脇辺３３において前身頃１と略同一もしくはより狭く、脇辺３４において前身頃１と略同一になるよう形成されている。
【００１８】
図３は、本考案に係る軽度尿失禁パッド用ショーツの断面図である。図に示すように、クロッチ３は、前端縁３１が前身頃１の前端縁１１付近に縫着され、後端縁３２が前身頃１の後端縁１２付近に縫着されている。ここで、「前身頃１の前端縁１１付近」とは、前身頃１の前端縁１１とウエスト部４との境界付近を指す。また、「前身頃１の後端縁１２付近」とは、前身頃１の後端縁１２と後身頃２の縫着部分付近を指す。そして、クロッチ３の脇辺３３は前身頃３には縫着されず、遊離した状態となっているが、前端縁３１側の脇辺３４は前身頃１の脇辺１３部分に縫着されている。なお、本実施態様では、クロッチ３の脇辺の一部のみ前身頃１に縫着され、その他の部分は遊離しているが、脇辺の全部を縫着せずに遊離させても良く、脇辺全長のうち、遊離した範囲は９０〜１００％となるように形成することが好ましい。
【００１９】
上述のとおり、クロッチ３の長手方向の長さが、前身頃１の長手方向の長さよりも短くなるように形成されているため、図３に示すように、クロッチ３は前身頃１との縫着部である前端縁３１と後端縁３２で吊られて前身頃１から浮いた状態となっている。  
【００２０】
このように、クロッチ３が前身頃１の前端縁１１から後端縁１２にかけて設けられており、さらに、その脇辺３３が前身頃１に縫着されず遊離していることにより、クロッチ３は動きの自由度が高くなり、失禁パッドの貼付作業が容易となる。さらに、クロッチ３の長手方向の長さが、前身頃１の長手方向の長さよりも短くなるように形成されているため、着用時のクロッチ３の肌への密着度が増して、着用感が向上し、また、失禁パッドのずれも防ぐことができる。
【００２１】
クロッチ３の材質は、ショーツの身生地に使用されるもので一般的なものを好適に利用することができる。特に、前身頃１、後身頃２と同じ生地で形成した場合、着用感も良く、失禁パッドを装着せずに直穿きする普段使いに適している。また、クロッチ３の材質として、撥水性、あるいは防水性を有する生地を選択しても良い。また、少なくとも長手方向に伸縮性を有する生地を用いれば、フィット感がより向上するため好ましい。さらに、クロッチ３の脇辺３３に沿って、伸縮性素材のゴムやコメットテープを縫製すれば、失禁パッドのフィット感がより高まって好ましい。
【産業上の利用可能性】
【００２２】
本考案に係る軽度尿失禁パッド用ショーツは、軽度尿失禁用の紙パッドを取り付けて使用することを想定しているが、その他にも、洗濯してくり返し使える女性用生理用布ナプキンや軽度尿失禁用布パッド、使い捨ての女性用生理用紙ナプキン等を取り付けて使用することも可能である。
【符号の説明】
【００２３】
１……前身頃
２……後身頃
３……クロッチ
４……ウエスト部
５……失禁パッド
１１……前端縁
１２……後端縁
１３……脇辺
３１……前端縁
３２……後端縁
３３……脇辺
３４……脇辺
５１……羽部
【図１】
0003190588.tif 000003
【図２】
0003190588.tif 000004
【図３】
0003190588.tif 000005
【図４】
0003190588.tif 000006